(57)【要約】【課題】作業員が目視でジャンパー線を追ってその接続先を容易に確認することができる中間配線盤ジャンパー線接続先確認ツールを提供する。【解決手段】接続先確認ツール１０は、紐状部材１１と、紐状部材１１が一面から対向面まで貫通された固定部材１２と、一端が固定部材１２の一面に取り付けられたかつ紐状部材１１の一端側が貫通された可撓性のチューブ部材１３と、チューブ部材１３の他端から突出した紐状部材１１の一端に取り付けられたつまみ部材１４と、１３個の玉状部材１５ａを紐状部材１１の他端側で数珠繋ぎ状に連結して構成された数珠状部材１５と、固定部材１２の一面に取り付けられたかつ対象ジャンパー線１ａを挿入して貫通させるためのジャンパー線貫通部材１６とを具備する。【選択図】図１
2012023420.tif 000002
【特許請求の範囲】
【請求項１】
中間配線盤において通信回線の中継などに用いられているジャンパー線（１ａ）の接続先を確認するための中間配線盤ジャンパー線接続先確認ツール（１０）であって、
紐状部材（１１）と、
該紐状部材が一面から該一面の対向面まで貫通された固定部材（１２）と、
一端が前記固定部材の前記一面に取り付けられた、かつ、前記紐状部材の一端側が貫通された可撓性のチューブ部材（１３）と、
該チューブ部材の他端から突出した前記紐状部材の前記一端に取り付けられたつまみ部材（１４）と、
複数個の玉状部材（１５ａ）を前記紐状部材の他端側で数珠繋ぎ状に連結して前記固定部材の前記対向面側に構成された数珠状部材（１５）と、
前記固定部材の前記一面に取り付けられた、かつ、前記ジャンパー線を挿入して貫通させるためのジャンパー線貫通部材（１６）と、
を具備することを特徴とする、中間配線盤ジャンパー線接続先確認ツール。
【請求項２】
前記数珠状部材を吊り下げた状態にしたときに、前記複数個の玉状部材がすべて前記紐状部材に沿って落下して前記固定部材に一番近い玉状部材が前記固定部材の前記対向面から離れるとともに、前記つまみ部材を下方に引っ張ると前記複数個の玉状部材がすべて前記紐状部材によって前記固定部材の前記対向面に向かって移動させられて該固定部材と一体化して棒状とされるように、前記数珠状部材が構成されていることを特徴とする、請求項１記載の中間配線盤ジャンパー線接続先確認ツール。
【請求項３】
前記チューブ部材の前記他端側に、前記数珠状部材を吊り下げて前記つまみ部材を下方に引っ張った状態で前記複数個の玉状部材のうち一番下の玉状部材と前記紐状部材の前記他端との間の前記紐状部材の部分に引っ掛ける係止部材（２１）が設けられていることを特徴とする、請求項１または２記載の中間配線盤ジャンパー線接続先確認ツール。
【請求項４】
前記数珠状部材の代わりに、棒状部材を具備し、
前記棒状部材を吊り下げた状態にしたときに、該棒状部材が落下して前記固定部材の前記対向面から離れるように、該棒状部材が前記紐状部材の他端に取り付けられている、
ことを特徴とする、請求項１記載の中間配線盤ジャンパー線接続先確認ツール。
【発明の詳細な説明】
【技術分野】
【０００１】
本発明は、中間配線盤において通信回線の中継などに用いられているジャンパー線の接続先を確認するのに好適な中間配線盤ジャンパー線接続先確認ツールに関する。
【背景技術】
【０００２】
従来、中間配線盤においては、ジャンパー線を用いて通信回線の中継などをしているが、通信回線ごとにジャンパー線の接続先が異なることもあり、収容回線が増えると、多数のジャンパー線が中間配線盤に配線される。
【０００３】
下記の特許文献１には、ジャンパー線施工やケーブル敷設の正常性などを取り扱い容易な手段で現用回線に影響を与えずに確認するために、配線架において、下位装置側の第１のケーブルと接続された端子の第１のジャンパー線の接続端にモニタ装置を接続し、モニタ装置内には、入力信号からパルス信号を抽出するパルス選択部、その出力を増幅して発光ダイオードを発光させるトランジスタが設けられており、下位装置から通常出力されているパルス信号が第２のケーブル、第２のジャンパー線、第３のケーブル、上位装置のＨＷ−ＬＯＯＰ機能および第４のケーブルを介して第１のジャンパー線に戻ってきたときにモニタ装置へ入力され、モニタ装置では、そのパルス信号が抽出増幅されて発光ダイオードが発光し、赤ランプが点灯することによってジャンパー線施工の正常性などが確認されるようにしたジャンパチェッカが開示されている。
【先行技術文献】
【特許文献】
【０００４】
【特許文献１】特開２０００−１６５９１３号公報
【発明の概要】
【発明が解決しようとする課題】
【０００５】
しかしながら、上記の特許文献１に開示されたジャンパチェッカのように電気的に接続先を確認するのではなく、作業員が目視でジャンパー線の接続先を確認するときには、接続先の確認の対象となるジャンパー線（以下、「対象ジャンパー線」と称する。）を作業員が少し引っ張って、動いたジャンパー線を辿っていくが、多数のジャンパー線が束になって密接している個所などでは、他のジャンパー線も同時に動くので、どのジャンパー線が対象ジャンパー線であるか判別しにくくなるという問題があった。
また、配線に余裕がない場合には、ジャンパー線に引っ張り代がないため、対象ジャンパー線を追うことが難しく時間を要したり、途中で他のジャンパー線を追ったりすることがあるという問題があった。
【０００６】
本発明の目的は、作業員が目視でジャンパー線を追ってその接続先を容易に確認することができる中間配線盤ジャンパー線接続先確認ツールを提供することにある。
【課題を解決するための手段】
【０００７】
本発明の中間配線盤ジャンパー線接続先確認ツールは、中間配線盤において通信回線の中継などに用いられているジャンパー線（１ａ）の接続先を確認するための中間配線盤ジャンパー線接続先確認ツール（１０）であって、紐状部材（１１）と、該紐状部材が一面から該一面の対向面まで貫通された固定部材（１２）と、一端が前記固定部材の前記一面に取り付けられた、かつ、前記紐状部材の一端側が貫通された可撓性のチューブ部材（１３）と、該チューブ部材の他端から突出した前記紐状部材の前記一端に取り付けられたつまみ部材（１４）と、複数個の玉状部材（１５ａ）を前記紐状部材の他端側で数珠繋ぎ状に連結して前記固定部材の前記対向面側に構成された数珠状部材（１５）と、前記固定部材の前記一面に取り付けられた、かつ、前記ジャンパー線を挿入して貫通させるためのジャンパー線貫通部材（１６）とを具備することを特徴とする。
ここで、前記数珠状部材を吊り下げた状態にしたときに、前記複数個の玉状部材がすべて前記紐状部材に沿って落下して前記固定部材に一番近い玉状部材が前記固定部材の前記対向面から離れるとともに、前記つまみ部材を下方に引っ張ると前記複数個の玉状部材がすべて前記紐状部材によって前記固定部材の前記対向面に向かって移動させられて該固定部材と一体化して棒状とされるように、前記数珠状部材が構成されていてもよい。
前記チューブ部材の前記他端側に、前記数珠状部材を吊り下げて前記つまみ部材を下方に引っ張った状態で前記複数個の玉状部材のうち一番下の玉状部材と前記紐状部材の前記他端との間の該紐状部材の部分に引っ掛ける係止部材（２１）が設けられていてもよい。
前記数珠状部材の代わりに、棒状部材を具備し、前記棒状部材を吊り下げた状態にしたときに、該棒状部材が落下して前記固定部材の前記対向面から離れるように、該棒状部材が前記紐状部材の他端に取り付けられていてもよい。
【発明の効果】
【０００８】
本発明の中間配線盤ジャンパー線接続先確認ツールは、ジャンパー線の接続元においてジャンパー線貫通部材にジャンパー線を貫通させたのちにジャンパー線に沿って中間配線盤ジャンパー線接続先確認ツールを移動させ、途中に結束部材があってもジャンパー線貫通部材にジャンパー線を貫通させたまま中間配線盤ジャンパー線接続先確認ツールを結束部材に通すことができるので、作業員が目視でジャンパー線を追ってその接続先を容易に確認することができるという効果を奏する。
【図面の簡単な説明】
【０００９】
【図１】本発明の一実施例による中間配線盤ジャンパー線接続先確認ツール１０の構成を説明するための図である。
【図２】図１に示した中間配線盤ジャンパー線接続先確認ツール１０の使用方法を説明するための図である。
【図３】係止部材２１を備えた中間配線盤ジャンパー線接続先確認ツール１０’の構成を説明するための図である。
【発明を実施するための形態】
【００１０】
上記の目的を、紐状部材の一端側が貫通された可撓性のチューブ部材の一端を固定部材の一面に取り付け、つまみ部材をチューブ部材の他端から突出した紐状部材の一端に取り付け、数珠状部材を複数個の玉状部材を紐状部材の他端側で数珠繋ぎ状に連結して固定部材の対向面側に構成し、ジャンパー線を挿入して貫通させるためのジャンパー線貫通部材を固定部材の一面に取り付けることにより実現した。
【実施例１】
【００１１】
以下、本発明の中間配線盤ジャンパー線接続先確認ツールの実施例について図面を参照して説明する。
本発明の一実施例による中間配線盤ジャンパー線接続先確認ツール１０（以下、「接続先確認ツール１０」と称する。）は、図１に示すように、紐状部材１１と、紐状部材１１が一面（以下、「上面」と称する。）からその対向面（以下、「下面」と称する。）まで貫通された円筒状の固定部材１２と、一端が固定部材１２の上面に取り付けられた、かつ、紐状部材１１の一端側（固定部材１２の上面側）が貫通された可撓性のチューブ部材１３と、チューブ部材１３の他端から突出した紐状部材１１の一端に取り付けられたつまみ部材１４と、１３個の玉状部材１５ａ（径が２〜３ｍｍとジャンパー線１の径（４ｍｍ程度）よりも小さく、長さが５〜１０ｍｍ程度）を紐状部材１１の他端側（固定部材１２の下面側）で数珠繋ぎ状に連結して固定部材１２の下面側に構成された数珠状部材１５と、固定部材１２の上面に取り付けられた、かつ、対象ジャンパー線１ａを挿入して貫通させるためのジャンパー線貫通部材１６とを具備する。
【００１２】
ここで、つまみ部材１４を引っ張ることにより紐状部材１１の他端を固定部材１２の下面に向けて移動させることができるように、固定部材１２、チューブ部材１３および玉状部材１５ａには、紐状部材１１の径よりも大きい径の貫通孔が形成されている。
【００１３】
紐状部材１１の他端は、図２（ａ）に示すように数珠状部材１５を吊り下げた状態にしたときに１３個の玉状部材１５ａがすべて紐状部材１１の他端から落下してしまわないように、１３個の玉状部材１５ａのうち一番下の玉状部材１５ａの下面で、結び目の大きさが玉状部材１５ａの貫通孔の径よりも大きくなるように結ばれている。
【００１４】
ジャンパー線貫通部材１６は、細い金属棒を一周以上巻いて他端を自由端とした構造となっており、配線された対象ジャンパー線１ａの任意の部分をジャンパー線貫通部材１６の一端側と他端側との間から挿入すれば、ジャンパー線貫通部材１６に対象ジャンパー線１ａを貫通させることができるようにされている。
【００１５】
これにより、図２（ａ）に示すように水平方向に配線された対象ジャンパー線１ａをジャンパー線貫通部材１６に貫通させて数珠状部材１５（接続先確認ツール１０）を対象ジャンパー線１ａに吊り下げた場合には、１３個の玉状部材１５ａがすべて紐状部材１１に沿って落下して固定部材１２に一番近い玉状部材１５ａが固定部材１２の下面から離れた状態となる。
また、この状態で、図２（ｃ）に矢印で示すようにつまみ部材１４を下方に引っ張ると、１３個の玉状部材１５ａをすべて紐状部材１１によって固定部材１２の下面に向かって移動させ固定部材１２と一体化させて棒状とすることができる。
【００１６】
次に、対象ジャンパー線１ａが水平方向に配線されている場合の接続確認ツール１０の使用方法について、図２（ａ）〜（ｄ）を参照して説明する。
作業員は、接続先の確認をする対象ジャンパー線１ａの接続元において、対象ジャンパー線１ａを確認したのち、図２（ａ）に示すように対象ジャンパー線１ａを接続確認ツール１０のジャンパー線貫通部材１６に挿入して貫通させる。
【００１７】
続いて、作業員は、接続確認ツール１０のチューブ部材１３を摘んで、図２（ｂ）に矢印で示すように対象ジャンパー線１ａの接続先（同図図示左側）に向かって紐状部材１１と共に引っ張って行くことにより、接続確認ツール１０を対象ジャンパー線１ａの接続先に向かって移動させる。
【００１８】
図２（ｃ）に示すように途中に対象ジャンパー線１ａを含む複数本のジャンパー線１を束ねる結束部材２（ジャンパー線１の配線方向に沿った長さが５ｃｍ程度）があると、作業員は、接続確認ツール１０のジャンパー線貫通部材１６が結束部材２に近づいた時点で、接続確認ツール１０のチューブ部材１３を離したのち、接続確認ツール１０のつまみ部材１４を下に引っ張ることにより、１３個の玉状部材１５ａをすべて引き上げて、接続確認ツール１０の数珠状部材１５を固定部材１５と一体化させて棒状とする。
【００１９】
続いて、作業員は、棒状となった数珠状部材１５とチューブ部材１３とを摘んで固定部材１２を回転中心として９０°回転させて、両者が水平方向（対象ジャンパー線１ａの配線方向）を向くようにしたのち、図２（ｄ）に矢印で示すように棒状となった数珠状部材１５とチューブ部材１３とを結束部材２に向かって押し込んでジャンパー線貫通部材１６から接続確認ツール１０を結束部材２に挿入して行く。
その後、棒状となった数珠状部材１５とチューブ部材１３との先端部が結束部材２から出てくると、作業員は、棒状となった数珠状部材１５とチューブ部材１３とを摘んで接続確認ツール１０を結束部材２から引き抜く。
これにより、ジャンパー線貫通部材１６を対象ジャンパー線１ａから取り外すことなく、接続確認ツール１０を結束部材２に通すことができる。
【００２０】
続いて、作業員は、接続確認ツール１０を用いて対象ジャンパー線１ａの接続先に辿りつくまで、同様の作業を繰り返す。
【００２１】
以上では、対象ジャンパー線１ａが水平方向に配線されている場合を例として説明したが、対象ジャンパー線１ａが垂直方向に配線されている場合にも、同様にして接続確認ツール１０を用いることにより対象ジャンパー線１ａの接続先に容易に辿りつくことができる。
また、対象ジャンパー線１ａが水平方向から垂直方向にまたは垂直方向から水平方向に９０°曲げられて配線されている場合でも、数珠状部材１５は容易に変形する構成となっているため、作業員がチューブ部材１３を摘んで対象ジャンパー線１ａの接続先に向かって紐状部材１１と共に引っ張って行っても、数珠状部材１５がこの個所で引っ掛かることはない。
【００２２】
なお、すべての結束部材２の長さが短い（たとえば、１ｃｍ程度）ものであれば、数珠状部材１５の代わりに長さが２ｃｍ程度の棒状部材を用いても、作業員は棒状部材を結束部材２に押しこんだり棒状部材を結束部材２から引き抜いたりすることにより接続確認ツール１０を結束部材２に通すことができるとともに、対象ジャンパー線１ａが水平方向から垂直方向にまたは垂直方向から水平方向に９０°曲げられて配線されている場合でも棒状部材がこの個所で引っ掛かることはないため、棒状部材としてもよい。
【００２３】
また、図３に示す接続確認ツール１０’のように、チューブ部材１３の他端側に、数珠状部材１５を吊り下げた状態にしたときに、１３個の玉状部材１５ａのうち一番下の玉状部材１５ａの下面と紐状部材１１の結び目（他端）との間の紐状部材１１に引っ掛ける係止部材２１を設けて、接続確認ツール１０の未使用時に一番下の玉状部材１５ａと紐状部材１１の結び目との間の紐状部材１１の部分に係止部材２１を引っ掛けることによりチューブ部材１３を数珠状部材１５に取り付けて、接続確認ツール１０の持ち運び易くするようにしてもよい。
【００２４】
さらに、結束部材が１本の細い線状（紐状）のものであり、数十本から数百本のジャンパー線がこの線状の結束部材を１〜２回巻いたのちにその両端部を捩って束ねられている場合でも、本発明の中間配線盤ジャンパー線接続先確認ツールを使用することにより、同様の効果を得ることができる。
【符号の説明】
【００２５】
１  ジャンパー線
１ａ  対象ジャンパー線
２  結束部材
１０，１０’  接続先確認ツール
１１  紐状部材
１２  固定部材
１３  チューブ部材
１４  つまみ部材
１５  数珠状部材
１５ａ  玉状部材
１６  ジャンパー線貫通部材
２１  係止部材
【図１】
2012023420.tif 000003
【図２】
2012023420.tif 000004
【図３】
2012023420.tif 000005